(57)【要約】【課題】  主に店舗において販売時点の情報管理システムであるＰＯＳ（Point of Sales）システムにおいて、商品データの変更や新たな商品データの設定がなされた場合に、担当者が、店内広告として用いられるＰＯＰ（Point Of Purchase）シート（広告用のシート）および棚ラベルを効率よく正確に印刷、印字することができる印刷および印字システムを提供する。【解決手段】  商品データの変更や新たな商品データの設定がなされた場合に、ＰＯＳレジスタ１は、ＰＯＰ  ＰＣ２およびラベルプリンタ４にＰＯＰシートの印刷の指示および棚ラベルの印字の指示を行う。ＰＯＰ  ＰＣ２はプリンタ３にＰＯＰシートの印刷のフォーマットおよび印刷するデータを出力し、ＰＯＰシートを印刷させる。一方、ラベルプリンタ４はＰＯＳレジスタ１からの指示に基づいて、棚ラベルの印字を行う。【選択図】      図１
2005135180.tif 000002
【特許請求の範囲】
【請求項１】
商品データに基づき取引商品の登録やその代金の精算処理が可能なＰＯＳ端末装置と、
店内広告用のシートに所定のデータを印刷する印刷手段と、
前記ＰＯＳ端末装置と前記印刷手段とを接続する通信手段と、
前記ＰＯＳ端末装置には少なくとも商品データに基づき印刷データを前記印刷手段へ送信し、前記店内広告用のシートを印刷させる制御手段と、
を備えたことを特徴とする印刷システム。
【請求項２】
前記印刷データを前記印刷手段へ送信させる為の操作キーが前記ＰＯＳ端末装置の商品登録画面に設けられ、該商品登録画面では商品データの変更が可能であり、該画面にて変更された商品データに基づき印刷データが前記印刷手段へ送信されることを特徴とする請求項１に記載の印刷システム。
【請求項３】
前記変更された商品データは、商品登録画面に予めプリセットされた商品データの中から選択されることを特徴とする請求項２に記載の印刷システム。
【請求項４】
前記印刷データを前記印刷手段へ送信させる為の操作キーが商品設定画面に設けられ、該画面にて新たに設定、あるいは変更された商品データに基づき印刷データが前記印刷手段へ送信されることを特徴とする請求項１に記載の印刷システム。
【請求項５】
前記ＰＯＳ端末装置が、商品の登録や精算時に使用される表示部を有し、該ＰＯＳ端末装置で、商品データの変更、あるいは新たな設定がされた際、広告印刷を促す指示が前記表示部に表示されることを特徴とする請求項１に記載の印刷システム。
【請求項６】
前記ＰＯＳ端末装置で商品データが変更された場合、あるいは新たな設定がされた際、前記商品データに基づく印刷データを前記印刷手段へ送信するための操作キーが、該ＰＯＳ端末装置の表示部に表示されることを特徴とする請求項１に記載の印刷システム。
【請求項７】
前記制御手段は広告フォーマット情報を選択操作でき、前記印刷データには広告フォーマット情報を含むことを特徴とする請求項１ないし請求項６に記載の印刷システム。
【請求項８】
前記ＰＯＳ端末装置には表示部を有し、更に前記広告フォーマット情報である各広告フォーマット番号と該番号に該当するフォーマット名とが記憶されており、所定の操作にて前記番号とフォーマット名とが前記表示部に表示され、表示された広告フォーマット番号とフォーマット名の中から所望の広告フォーマット情報を選択可能であることを特徴とする請求項７に記載の印刷システム。
【請求項９】
商品データに基づき取引商品の登録やその代金の精算処理が可能なＰＯＳ端末装置と、
商品名等が印字された棚ラベルを印字する印字手段と、
前記ＰＯＳ端末装置と前記印字手段とを接続する通信手段と、
前記ＰＯＳ端末装置には少なくとも商品データに基づき印字データを前記印字手段へ送信し、前記棚ラベルの印字をさせる制御手段と、
を備えたことを特徴とする印字システム。
【請求項１０】
前記印字データを前記印字手段へ送信させる為の操作キーが前記ＰＯＳ端末装置の商品登録画面に設けられ、該商品登録画面では商品データの変更が可能であり、該面面にて変更された商品データに基づき印字データが前記印字手段へ送信されることを特徴とする請求項９に記載の印字システム。
【請求項１１】
前記変更された商品データは、商品登録画面に予めプリセットされた商品データの中から特定されることを特徴とする請求項１０に記載の印字システム。
【請求項１２】
前記印字データを前記印字手段へ送信させる為の操作キーが商品設定画面に設けられ、該面面にて新たに認定あるいは変更された商品データに基づき印字データが前記印字手段へ送信されることを特徴とする請求項９に記載の印字システム。
【請求項１３】
前記ＰＯＳ端末装置には、商品名、売価等が表示される表示部を有し、商品データの変更、あるいは新たな設定がされた際、前記棚ラベルの印字を促す指示が前記表示部に表示されることを特徴とする請求項９に記載の印字システム。
【請求項１４】
前記ＰＯＳ端末装置で商品データが変更された場合、あるいは新しい設定がされた際、前記商品データに基づく印字データを前記印字手段に送信するための操作キーが、該ＰＯＳ端末装置の表示部に表示されることを特徴とする請求項９に記載の印字システム。
【請求項１５】
前記制御手段は印字フォーマット情報を選択操作でき、前記印字データには印字フォーマット情報を含むことを特徴とする請求項９ないし請求項１４に記載の印字システム。
【発明の詳細な説明】
【技術分野】
【０００１】
本発明は、主に、店舗において、販売時点の情報管理システムであるＰＯＳ（Point of Sales）システムにおいて用いられる印刷および印字システムに係り、特に、店内広告として用いられるＰＯＰ（Point Of Purchase）シート（広告用のシート）および棚ラベルを、ＰＯＳシステムの端末であるＰＯＳレジスタから印刷および印字の指示を行う機能を有する印刷および印字システムに関する。
【背景技術】
【０００２】
通常、スーパーマーケット等の店舗において、ＰＯＰシートは、専用のプリンタによって印刷され、その印刷の指示は広告印刷アプリケーションソフトがインストールされて店舗の事務所に置かれているＰＣ（Personal Computer）等から行われる。
一般に、ＰＯＰシートは、商品の値段が変わったときや新たに目玉商品等が入荷して特にそれらの商品を目立たせて販売したいときに必要になるが、従来のシステムにおける売価変更や新たな商品設定作業は、ＰＯＳシステムの端末であり店頭にて扱われるＰＯＳレジスタによっても行われる必要がある。よって、売価変更や新たな商品登録時において、ＰＯＰシートの印刷とＰＯＳレジスタでの登録作業という、２つの異なる場所での作業を要することになる。つまり、担当者は、売価変更と新たな商品登録を店頭にてＰＯＳレジスタで行い、その後、事務所へ移動してＰＯＰシートの印刷を行う必要があり、作業効率が悪いという問題があった。また、ＰＯＳレジスタによって商品の売価変更等を行った後に、担当者が事務所へ移動し、売価変更後の価格をＰＯＰシートの発行システムに入力しＰＯＰシートの印刷指示を行う為、ＰＯＳレジスタによって入力した価格と異なった売価にてＰＯＰシートを印刷してしまう可能性があるという問題もあった。
【０００３】
また、商品陳列棚に商品種を区別するために用いられる棚ラベルについても、商品の売価変更がされた後には、変更後の価格が印字された棚ラベルが発行されるべきであるが、ＰＯＰシートの印刷時と同様、担当者が、店頭にてＰＯＳレジスタによって売価変更した後、所定のラベルプリンタが配置されている場所まで移動し、売価変更後の棚ラベル印字の指示をする手間が生じ、また、ＰＯＰシートの印刷時と同様に、ＰＯＳレジスタによって入力した価格と異なった売価にて棚ラベルを印字してしまう可能性があるといった問題もあった。
尚、不定形用紙にＰＯＰ印刷するプリンタ装置として特許文献１に記載されるものが知られている。
【特許文献１】特開平７−６１０８６号公報
【発明の開示】
【発明が解決しようとする課題】
【０００４】
本発明は、上記事情を考慮してなされたもので、その目的は、ＰＯＳシステムにおいて、商品データの変更や新たな商品データの設定がなされた場合に、担当者がＰＯＰシートおよび棚ラベルを効率よく正確に印刷、印字することができる印刷および印字システムを提供することにある。
【課題を解決するための手段】
【０００５】
上記目的を達成するために、この発明では、以下の手段を提案している。
請求項１に係る発明は、印刷システムが、商品データに基づき取引商品の登録やその代金の精算処理が可能なＰＯＳ端末装置と、店内広告用のシートに所定のデータを印刷する印刷手段と、前記ＰＯＳ端末装置と前記印刷手段とを接続する通信手段と、前記ＰＯＳ端末装置には少なくとも商品データに基づき印刷データを前記印刷手段へ送信し、前記店内広告用のシートを印刷させる制御手段とを備えたことを特徴とする。
この発明によれば、ＰＯＳ端末装置から商品データに基づき店内広告用のシートを印刷する指示をすることが可能となり、商品データと広告用のシートの印刷データとの整合性を増すことが可能になる。
【０００６】
請求項２に係る発明は、請求項１に記載の印刷システムであって、前記印刷データを前記印刷手段へ送信させる為の操作キーが前記ＰＯＳ端末装置の商品登録画面に設けられ、該商品登録画面では商品データの変更が可能であり、該画面にて変更された商品データに基づき印刷データが前記印刷手段へ送信されることを特徴とする。
この発明によれば、商品登録画面にて変更された商品についての広告用のシートの印刷を変更された商品データに基づき行うことができるので、広告用のシート印刷の為に、新たに変更されたデータを呼び出して操作をすることが必要でなくなり、操作が簡素化される。また、変更が行われたデータに基づき、シートが印刷されるので、データの整合性を増すことが可能になる。
【０００７】
請求項３に係る発明は、請求項２に記載の印刷システムであって、前記変更された商品データは、商品登録画面に予めプリセットされた商品データの中から選択されることを特徴とする。
この発明によれば、予めプリセットされた商品データの中からデータを採用する対象となる商品を選択できるため、商品の特定作業を簡略化することが可能となる。
【０００８】
請求項４に係る発明は、請求項１に記載の印刷システムであって、前記印刷データを前記印刷手段へ送信させる為の操作キーが商品設定画面に設けられ、該画面にて新たに設定、あるいは変更された商品データに基づき印刷データが前記印刷手段へ送信されることを特徴とする。
この発明によれば、商品設定画面に設けられた操作キーにより、商品設定あるいは変更された商品データに基づく印刷データが印刷手段へ送信されるので、設定あるいは変更操作後、該画面で送信操作をすることができ、作業が簡略化され、且つ、商品データと印刷データとの整合性を増すことが可能になる。
【０００９】
請求項５に係る発明は、請求項１に記載の印刷システムであって、前記ＰＯＳ端末装置が、商品の登録や精算時に使用される表示部を有し、該ＰＯＳ端末装置で、商品データの変更、あるいは新たな設定がされた際、広告印刷を促す指示が前記表示部に表示されることを特徴とする。
この発明によれば、印刷システムが、新たな商品データの設定や商品データの変更といった、変化が発生したときに、広告印刷を漏れなく行うことが可能となる。
【００１０】
請求項６に係る発明は、請求項１に記載の印刷システムであって、前記ＰＯＳ端末装置で商品データが変更された場合、あるいは新たな設定がされた際、前記商品データに基づく印刷データを前記印刷手段へ送信するための操作キーが、該ＰＯＳ端末装置の表示部に表示されることを特徴とする。
この発明によれば、ＰＯＳ端末装置が、新たな商品データの設定や商品データの変更といった、変化が発生したときに必要な印刷を漏れなく行うために必要な操作キーを表示し、印刷が不要なときには不要な機能の操作キーを表示しないので、表示部のキーを効率よく配置させることができる。また、必要のないときにはキーを表示しないので、誤操作を防ぐことが可能である。また、必要に応じてキーを表示して、広告用のシートを印刷することが可能となる。
【００１１】
請求項７に係る発明は、請求項１ないし請求項６に記載の印刷システムであって、前記制御手段は広告フォーマット情報を選択操作でき、前記印刷データには広告フォーマット情報を含むことを特徴とする。
この発明によれば、複数の広告フォーマットの中から、印刷に使用したいフォーマットを選択し、該フォーマットにて印刷を行うことができるので、商品データに合った印刷が可能になる。
【００１２】
請求項８に係る発明は、請求項７に記載の印刷システムであって、前記ＰＯＳ端末装置には表示部を有し、更に前記広告フォーマット情報である各広告フォーマット番号と該番号に該当するフォーマット名とが記憶されており、所定の操作にて前記番号とフォーマット名とが前記表示部に表示され、表示された広告フォーマット番号とフォーマット名の中から所望の広告フォーマット情報を選択可能であることを特徴とする。
この発明によれば、ＰＯＳ端末装置を用いて、複数の広告フォーマットの中から、印刷に使用したいフォーマットを選択し、該フォーマットにて印刷を行うことが可能となるので、商品データに合った印刷が可能となる。
【００１３】
請求項９に係る発明は、印字システムが、商品データに基づき取引商品の登録やその代金の精算処理が可能なＰＯＳ端末装置と、商品名等が印字された棚ラベルを印字する印字手段と、前記ＰＯＳ端末装置と前記印字手段とを接続する通信手段と、前記ＰＯＳ端末装置には少なくとも商品データに基づき印字データを前記印字手段へ送信し、前記棚ラベルの印字をさせる制御手段とを備えたことを特徴とする。
この発明によれば、ＰＯＳ端末装置から商品データに基づき棚ラベルを印字する指示をすることが可能となり、商品データと棚ラベルの印字データとの整合性を増すことが可能になる。
【００１４】
請求項１０に係る発明は、請求項９に記載の印字システムであって、前記印字データを前記印字手段へ送信させる為の操作キーが前記ＰＯＳ端末装置の商品登録画面に設けられ、該商品登録画面では商品データの変更が可能であり、該面面にて変更された商品データに基づき印字データが前記印字手段へ送信されることを特徴とする。
この発明によれば、商品登録画面にて変更された商品についての棚ラベルの印字を変更された商品データに基づき行うことができるので、棚ラベルの印字の為に、新たに変更されたデータを呼び出して操作をすることが必要でなくなり、操作が簡素化される。また、変更が行われたデータに基づき、棚ラベルが印字されるので、データの整合性を増すことが可能になる。
【００１５】
請求項１１に係る発明は、請求項１０に記載の印字システムであって、前記変更された商品データは、商品登録画面に予めプリセットされた商品データの中から特定されることを特徴とする。
この発明によれば、予めプリセットされた商品データの中からデータを採用する対象となる商品を選択できるため、商品の特定作業を簡略化することが可能となる。
【００１６】
請求項１２に係る発明は、請求項９に記載の印字システムであって、前記印字データを前記印字手段へ送信させる為の操作キーが商品設定画面に設けられ、該面面にて新たに認定あるいは変更された商品データに基づき印字データが前記印字手段へ送信されることを特徴とする。
この発明によれば、商品設定画面に設けられた操作キーにより、商品設定あるいは変更された商品データに基づく印字データが印字手段へ送信されるので、設定あるいは変更操作後、該画面で送信操作をすることができ、作業が簡略化され、且つ、商品データと印字データとの整合性を増すことが可能になる。
【００１７】
請求項１３に係る発明は、請求項９に記載の印字システムであって、前記ＰＯＳ端末装置には、商品名、売価等が表示される表示部を有し、商品データの変更、あるいは新たな設定がされた際、前記棚ラベルの印字を促す指示が前記表示部に表示されることを特徴とする。
この発明によれば、印刷システムが、新たな商品データの設定や商品データの変更といった、変化が発生したときに棚ラベルの印字を漏れなく行うことが可能となる。
【００１８】
請求項１４に係る発明は、請求項９に記載の印字システムであって、前記ＰＯＳ端末装置で商品データが変更された場合、あるいは新しい設定がされた際、前記商品データに基づく印字データを前記印字手段に送信するための操作キーが、該ＰＯＳ端末装置の表示部に表示されることを特徴とする。
この発明によれば、ＰＯＳ端末装置が、新たな商品データの設定や商品データの変更といった、変化が発生したときに必要な印字を漏れなく行うために必要な操作キーを表示し、印字が不要なときには不要な機能の操作キーを表示しないので、表示部のキーを効率よく配置させることができる。また、必要のないときにはキーを表示しないので、誤操作を防ぐことが可能である。また、必要に応じてキーを表示して、棚ラベルを印字することが可能となる。
【００１９】
請求項１５に係る発明は、請求項９ないし請求項１４に記載の印字システムであって、前記制御手段は印字フォーマット情報を選択操作でき、前記印字データには印字フォーマット情報を含むことを特徴とする。
この発明によれば、複数の広告フォーマットの中から、印字に使用したいフォーマットを選択し、該フォーマットにて印字を行うことができるので、商品データに合った印字が可能となる。
【発明の効果】
【００２０】
この発明によれば、ＰＯＳシステムにおいて、商品データの変更や新たな商品設定がなされた場合に、担当者がＰＯＰシートおよび棚ラベルを効率よく正確に印刷、印字することができる効果がある。
【発明を実施するための最良の形態】
【００２１】
以下、図面を参照し、この発明の実施の形態について説明する。図１は、本発明の実施の形態に係る印刷および印字システムの構成を示すブロック図である。印刷および印字システムは、お客が購入する商品の精算、商品売価等の変更、売価の確認、および商品の新たな設定を行うＰＯＳレジスタ１と、一般的な構成のＰＣ（パーソナルコンピュータ）にＰＯＰシートの印刷の指示を行うアプリケーションソフトがインストールされているＰＯＰ  ＰＣ２と、ＰＯＰ  ＰＣ２からＰＯＰシートの発行指示を受けてＰＯＰシートを印刷する、汎用のプリンタ３と、棚ラベルをＰＯＰ  ＰＣ２からの印字指示に基づき印字するラベルプリンタ４と、ＬＡＮケーブル５とから構成される。印刷および印字システムの各構成要素は、ＬＡＮケーブル５によって、通信可能に接続される。そして、各構成要素の配置は、ＰＯＳレジスタ１は店頭に設けられ、ＰＯＰ  ＰＣ２は通常、店舗の事務所に置かれ、プリンタ３は店頭に置かれ、ラベルプリンタ４は店頭の商品陳列棚付近に置かれるのが好ましい。このことで、プリンタから出力されるＰＯＰシートを直ぐに店内に広告として展示することができ、商品陳列棚付近にラベルプリンタ４があることで、棚ラベルを直ぐに棚に貼付することができる。ただし、上記配置に限定されるべきではない。  
【００２２】
ここで、ＰＯＰシートとはＰＯＰフォント文字により印刷されたシートをいう。ＰＯＰフォントとは、ＰＯＰシステムと称する簡易印刷システムに使用されるアウトラインフォントであり、標準サイズよりかなり拡大された文字サイズで、図１１に示すように、標準字体と比較して崩れた様な特殊なフォントである。
尚、本実施形態においては、ＰＯＰフォントを使ったＰＯＰシートを印刷する例を示しているが、ＰＯＰフォントに限らず、標準文字を使った店内広告可能な広告用のシートでもよい。
【００２３】
図２はＰＯＳレジスタ１の構成を示すブロック図である。ＰＯＳレジスタ１は、ＣＰＵ１０と、ＨＤＤ１１と、ＲＡＭ１２と、キー操作部１３と、画像表示制御部１４と、店員用表示器１５ａと、客用表示器１５ｂと、レシート印刷部１６と、送受信部１７と、スキャナ部１８と、バスライン１９とから構成される。ＣＰＵ１０（制御手段）は各部の制御を行い、ＰＯＰシートの印刷の指示や棚ラベルの印字の指示を行う。ＨＤＤ１１は、ＣＰＵ１０が実行するＰＯＳレジスタの制御プログラム、商品ファイル（商品データ）、会員ファイル、レシートの全印字内容を記憶した電子ジャーナルデータ等が記録される。ＲＡＭ１２は、ＣＰＵ１０の動作中に使用するデータ等を一時的に記憶する。キー操作部１３は、品番キーや数字キー、金額キーの他に返品キー等を有している。
ここで、商品データとは、ＰＯＳレジスタによって、商品コードを読み取り、商品ファイルから検索し読み出される、ＰＬＵ（Price Look Up）データであり、各商品毎に商品名、値段、バーコード、賞味期限、産地等が記録されている。
【００２４】
画像表示制御部１４は、店員用表示器１５ａおよび客用表示器１５ｂのそれぞれの表示を制御する。店員用表示器１５ａ、客用表示器１５ｂは、それぞれ、タッチパネルが設けられている。店員用表示器１５ａは、タッチパネル上に商品登録に必要なプリセットキーや、登録したＰＬＵデータ、精算データ、メニュー、ＰＯＰ出力キーおよび棚札出力キーを表示する。一方、客用表示器１５ｂは、表示される情報をタッチパネルのキーによって選択できるようにしている。ここで、ＰＯＰ出力キーはＰＯＰシートの印刷を指示するキーとし、棚札出力キーは棚ラベルの印字を指示するキーとする。
尚、ＰＯＰ出力キーや、棚札出力キーはキー操作部１３に設けてもよい。
【００２５】
レシート印刷部１６は、ＰＯＳレジスタ１において例えば、登録作業（商品の買上げ）が完了した後に、該買上げられた商品をレシートに印刷して出力する。スキャナ部１８は、商品に貼付されているバーコードを読み取り、ＣＰＵ１０に出力する。送受信部１７は、ＰＯＰ  ＰＣ２およびプリンタ３ならびにラベルプリンタ４との間にてデータの通信を行う。
【００２６】
ＰＯＰ  ＰＣ２は、ＰＯＰフォーマット情報を内部のＨＤＤに記録している。
尚、ＰＯＰフォーマット情報とは、図１０に示すように、ＰＯＰシート上に印刷される文字や数字等について、予め字の大きさやＰＯＰシート上での位置等が決められた情報であり、ＰＯＰシート上に印字される字や字の位置は自由に変更することができる。
また、各ＰＯＰフォーマット情報に対応するように、後述するＰＯＰカード番号が関連付けられている。
【００２７】
図３はラベルプリンタ４の構成を示すブロック図である。ラベルプリンタ４は、ＣＰＵ４０と、ＲＯＭ４１と、ＲＡＭ４２と、操作部４３と、表示部４４と、ラベル発行部４６と、通信部４７と、バスライン４９とから構成される。ＣＰＵ４０は各部の制御を行い、ＰＯＳレジスタ１からの棚札の印字の指示に基づいて、棚ラベルを印字させる。ＲＯＭ４１は、ＣＰＵ４０が実行する印字処理プログラムおよび文字フォントデータが格納されている。ＲＡＭ４２は、ＣＰＵ４０の動作中に使用するデータ等を一時的に記憶する。また、商品ファイル、ラベルフォーマットファイルが記憶される。また、ラベルフォーマットファイルの各フォーマット情報に対応するように、後述するラベルカード番号が関連付けられている。操作部４３は、商品入力時に使う数字キーの他、品番キー、発行キー等を有している。表示部４４は、液晶表示器の上面にタッチパネルが積層されており、同一面において、データの表示および入力を可能にしている。
【００２８】
ラベル発行部４６は、通常のラベル印字器と同様な構成であり、ドット印字を行うサーマルヘッドと、１ドットライン分のデータを蓄積して、サーマルヘッドに供給するシフトレジスタと、ラベルを１ドットラインずつ移動するシフトレジスタと、ラベルを１ドットずつ移動させるステッピングモータとを有しており、任意の文字、数字、及び画像を印字できるようになっている。通信部４７は、ラベルプリンタ４がＰＯＳレジスタ１から棚ラベルの印字の指示を受けて棚ラベルを印字できるように、ＰＯＰ  ＰＣ２のみならず、ＰＯＳレジスタ１との間にてもデータの通信を行う。
【００２９】
次に、上記実施形態による印刷および印字システムの動作を図４〜図８に示すＰＯＳレジスタ１のタッチパネル上に構成されたキーを示す図および図１２〜図１３に示すフローチャートを参照して説明する。
【００３０】
店員は、この印刷および印字システムの使用を開始するために、ＰＯＳレジスタ１、ＰＯＰ  ＰＣ２、プリンタ３、ラベルプリンタ４の、それぞれの電源を投入し、ＬＡＮケーブル５を介して相互に通信可能な状態にさせる。上記の各装置が相互に通信可能になり、以下、印刷および印字システムの動作が開始する。
【００３１】
先ず、新たに商品データを商品設定画面で設定し、それに連携してＰＯＰシートを印刷するときの、ＰＯＳレジスタ１内における動作を説明する。
図１２はＰＯＳレジスタ１内のＣＰＵ１１の動作を示すフローチャートである。図４はＰＯＳレジスタ１の店員用表示器１５ａの商品設定画面上にて新たに商品データが設定される場合の表示画面である。ここで、店員によって、ＰＬＵコード、名称、売価等の情報が設定される。先ず、店員は、ＰＯＳレジスタ１の店員用表示器１５ａの画面上のタッチパネルのキーを操作し、新たな商品データが設定され、設定された商品データが商品ファイルに書き加えられ記憶される。そして、ＨＤＤ１１に記憶されている商品ファイルとは別に、ＲＡＭ１２の所定のエリアに、一時記憶として、設定された商品データのみが記憶される。商品データが設定された後にＰＯＰ出力キーが押されると（ステップＳａ１）、店員用表示器１５aに図５の画面を表示させる。尚、ＰＯＰ出力キーが押されると、前述した、一時記憶された商品データがＰＯＰシート出力の為の商品データとして特定され（ステップＳａ２）、図９に示すＰＯＰ送信データがＲＡＭ１２の所定のエリアに生成され始め、一時的に記憶される。つまり、ＰＬＵ番号、 商品名、値段、内容量、産地については、前記一時記憶された商品データから引用され、ＰＯＰシート出力指示については、ＰＯＰ出力キーが押されたときに“１”が記憶され、ＰＯＰカード番号と、枚数については後述の操作にて順次記憶される。
【００３２】
図５はＰＯＳレジスタ１の店員用表示器１５ａにおける、ＰＯＰカード番号を一覧から選択する画面を示す図である。ここで、ＰＯＰシートの印刷を指示するために必要な条件データの入力を開始する。すなわち、印刷したいＰＯＰシートのＰＯＰカード番号を画面上のキーを押して入力する。ここで、ＰＯＰカード番号とは、ＰＯＰシート上に記載される文字や数字等についての字の大きさやシート上での位置等が予め決められたフォーマット（書式）に、各々の識別のために振られた番号とする。例えば、ＰＯＰカード番号「０００００１」で示される「店長おすすめＢ５」から、「０００００５」で示される 「ご奉仕品Ｂ６」までのフォーマットが予め作成されていて、商品に応じて、使われるカード番号を選択する。カード番号の選択がなされると、店員用表示器１５ａに図６の画面が表示される。また、選択されたＰＯＰカード番号はＰＯＰ送信データの所定のエリアに記憶される。
【００３３】
図６はＰＯＳレジスタ１の店員用表示器１５ａにおける、ＰＯＰシートの印刷の指示の画面を示す図である。図６においては、ＰＯＰシートの対象となる商品データ、つまりＰＯＰ送信データに基づくＰＬＵデータ（商品番号、品名、値段等）および、図５にて選択されたＰＯＰカード番号並びにフォーマットの名称が表示される。ここで、印刷したいＰＯＰシートの印刷枚数を画面上の数字キーを押して入力し、ＰＯＰシートの印刷を指示するために必要な条件データの入力を終了する（ステップＳａ３）。印刷枚数が入力されると該データはＰＯＰ送信データの所定のエリアに記憶される。すなわち、商品データ、ＰＯＰカード番号、印刷枚数のＰＯＰシート印刷に必要なデータ全てが、ＰＯＰ送信データに記憶され、該データの生成が完了する。次に、画面上の送信キーが押されると、ＰＯＰ送信データがＰＯＰ  ＰＣ２へ送信される。尚、送信キーが押されることで、ＲＡＭ１２内の所定のエリアに一時記憶されている、上記の操作によって設定された商品データはクリアされる。また、送信データについても、送信と共にＲＡＭ１２内のデータがクリアされる。以上により、ＰＯＳレジスタ１におけるＰＯＰシートの印刷の指示動作を終了する（ステップＳａ４）。
【００３４】
尚、このときの送信データは、ＣＳＶファイル形式に変換されて送信される。また、商品データが設定された後に、ＰＯＰ出力キーあるいは棚札出力キーが押されずに、図４の終了キーが押された場合は図８の確認メッセージが表示される。これにより、設定後ＰＯＰシート印刷を忘れるのを防止することができる。図８で「はい」が押されると図４の商品登録画面に戻りＰＯＰ出力キーが押されると、前記一時記憶されている商品データに基づき、上記同様にＰＯＰシート印刷が行われる。又、ここで、「いいえ」が押されると、一時記憶されていた商品データはクリアされる。
【００３５】
図１４はＲＡＭ１２のメモリマップを示す図である。商品データエリアには、商品データのうち変更や設定された商品データが一時記憶される。又、送信データエリアにはＰＯＰ送信データや棚札送信データが生成され、一時記憶される。商品データについては送信キーが押されるとクリアされ、送信データについてはデータを送信すると共にＲＡＭ１２内のデータはクリアされる。
【００３６】
尚、ＰＯＰフォーマットデータ自体はＰＯＰ  ＰＣ２に記憶させて、ＰＯＳレジスタ１
からはＰＯＰカード番号を送信し、受信したＰＯＰ  ＰＣ２がそのカード番号に対応するＰＯＰフォーマットデータをプリンタ３に出力する構成とし、ＰＯＳレジスタ１が送信するべきデータ量を少なくしている。
【００３７】
次に、ＰＯＰシートを印刷するときの、ＰＯＰ  ＰＣ２内における動作を説明する。
図１３はＰＯＰ  ＰＣ２内のＣＰＵの動作を示すフローチャートである。先ず、ＰＯＰ  ＰＣ２は、ＰＯＳレジスタ１から、ＰＯＰシートの印刷指示および、ＰＬＵデータ、ＰＯＰカード番号、印刷枚数のデータも含むＰＯＰデータを受信する（ステップＳｂ１）。次に、ＰＯＳレジスタ１から受信したＰＯＰカード番号に基づいて、ＰＯＰカード番号を検索する（ステップＳｂ２）。次に、検索されたＰＯＰカード番号に基づいて、ＰＯＰ  ＰＣ２に内に記憶されている、ＰＯＰフォーマットを用いて、ＰＬＵデータを元に、印刷データを作成し、その印刷枚数と併せてプリンタ３に出力し、ＰＯＰシートをその印刷枚数だけ印刷させる（ステップＳｂ３）。
【００３８】
図１０はＰＯＰフォーマット情報をＰＯＰシート上に展開した例であり、図１１はＰＯＰシートの印刷例を示す図である。
つまり、各ＰＯＰフォーマット毎に、商品名称５１、特別売価表示５０、広告メッセージ５５、産地・メーカ名称５２、標準価格表示５３、サイズ・容量表示５４、その他の表示用領域テキストＡ５６、テキストＢ５７、テキストＣ５８の各項目が、どの位置に、どの文字の大きさで印刷されるかが予め決められている。尚、ＰＯＳレジスタ１から送信されるＰＯＰ送信データ中の各情報のデータは、選択されたフォーマットに該データの項目の位置が設定されていなければ、印刷されない。
【００３９】
以上、商品設定画面で新たに商品データを設定して、それに連携してＰＯＰシートを印刷するときの動作について述べたが、棚ラベルをラベルプリンタ４にて印字する動作についても、基本的に同様である。具体的には、設定された新たな商品データがＨＤＤ１１内の商品ファイルに書き加えられ記憶されると共に、該データのみが、ＲＡＭ１２の所定のエリアに一時記憶される。図４において棚札出力キーが押されると、図５と類似したラベルフォーマット情報表示画面が表示される。尚、棚札出力キーが押されると、前記一時記憶された商品データが棚札出力の為の商品データとして特定され、図９と同様な棚札送信データがＲＡＭ１２内の所定エリアに生成され始める。つまり、ＰＬＵ番号、 商品名、値段、内容量、産地については、前記一時記憶された商品データから引用され、棚札出力指示については、棚札出力キーが押されたときに“１”が記憶され、棚札カード番号と、枚数についても、ＰＯＰシートのＰＯＰカード番号と枚数と同様に印刷順次記憶される。
【００４０】
また、商品データを設定し、棚札出力キーを押さずに終了キーを押した場合、図８の確認メッセージを出し、棚札出力を促し、その後の処理において、「はい」あるいは「いいえ」を選択させる処理や、「はい」を選択した後のステップ、あるいは「いいえ」を選択した後のステップにおける処理についても前記ＰＯＰシート出力時と同様である。そして、ラベルカード番号、印字する棚ラベルの枚数が入力され、送信キーが押されると、棚札送信データとしてラベルカード番号およびＰＬＵデータならびに印字枚数が関連付けられて、印字の指示と共にＣＳＶデータ形式でラベルプリンタ４へ送信される。ラベルプリンタ４ではラベルカード番号を検索し、受信した商品データを元に印字データを作成し、受信した印字枚数データ分、棚ラベルを印字する。尚、ラベルフォーマットデータ自体はラベルプリンタ４に記録されている。
【００４１】
尚、図１５はラベルプリンタ４から印字される棚ラベルを示す図であり、商品が陳列される陳列棚に貼付される。そして、棚ラベルには商品名６１、賞味期限表示６２，バーコード６３、税込額表示６４、税抜額表示６５、税額表示６６が印字されている。
尚、印字項目は上記事項に限らず、商品により異なる。
【００４２】
以上、商品設定画面にて、商品データを新たに設定した場合について説明したが、商品データの一部を図４にて変更する場合、例えば売価変更をする場合も上記、新たに設定する場合と同様である。
【００４３】
つまり、先ず、売価変更したい商品データを特定する。図４へ移行し、例えば商品に付されたバーコードを読み取ることで、該当する商品データを呼び出し、売価を変更する場合は、例えば売価データを数字キーと金額キーと使って変更する。このときＨＤＤ１１内の商品ファイルの商品データが書き換えられると共に、ＲＡＭ１２内の所定のエリアに売価変更された商品に係る商品データのみが一時記憶される。
【００４４】
その後のステップについては新たに商品データを設定した場合と同様で、ＰＯＰ出力キーが押されると一時記憶された商品データがＰＯＰシート出力の為のデータとして特定され、ＰＯＰ送信データがＲＡＭ１２に生成され始める。その後は図５、６でＰＯＰカード番号、枚数が選択入力され、ＰＯＰ送信データが、送信キーが押されることでＰＯＰ  ＰＣ２へ送信され、一時記憶エリアに記憶された商品データはクリアされる。送信データについても送信と共にクリアされる。
【００４５】
尚、図４で売価変更され、ＰＯＰシート出力キー、棚札出力キーのいずれも押されずに、図４の終了キーが押された場合は図８の確認メッセージを出すこと、それ以降のステップ、更に棚ラベルを出力する場合についても、商品データを新たに設定する場合と同様である。
【００４６】
次に、ＰＯＳレジスタ１の登録画面を操作して商品データのうち、例えば売価を変更する際、それに連携してＰＯＰシートを印刷し、あるいは、棚ラベルを印字するときの動作を説明する。
【００４７】
図７はＰＯＳレジスタ１の店員用表示器１５ａにおける、商品登録画面を示す図である。図７において、売価を変更させたい商品を特定する。特定の仕方は、予め商品登録画面にプリセットされている商品の中から選択してもよいし（例、プリセットされている大根をタッチして呼び出す）、実際の商品があれば、商品に貼付されているバーコードを読み取ることで特定してもよい。つまり、店員は、ＰＯＳレジスタ１の店員用表示器１５ａの画面上のタッチパネルのキー等を操作し、売価変更させたい商品を特定し、呼び出し、例えば数字キーと金額キーを使い、設定されている売価を変更する。そして、売価が変更された場合には、ＨＤＤ１１内に記憶されている商品ファイルのうち、売価が変更された商品データの売価のみについて、書き換えられると共に、ＲＡＭ１２内の所定のエリアに該変更された商品データ（売価だけでなく、ＰＬＵ番号、商品名、バーコード情報等、該ＰＬＵ番号に関連付けられているデータ）が一時記憶される。そして、ＰＯＰ出力キーが押されると、前記一時記憶エリアに記憶されている商品データがＰＯＰシートの出力をする商品データとして特定され、図９のＰＯＰ送信データがＲＡＭ１２内の所定エリアに生成され始める。
【００４８】
つまり、ＰＬＵ番号、 商品名、値段、内容量、産地については、前記一時記憶された商品データから引用され、ＰＯＰシート出力指示については、ＰＯＰ出力キーが押されたときに“１”が記憶され、その後図５、６にてＰＯＰカード番号と枚数が入力され次第、新たに商品データを設定する場合と同様に順次記憶される。図６の送信キーが押されてＰＯＰ送信データが送信されると、前記一時記憶した売価変更がされた商品データはクリアされる。尚、売価変更がされて、棚ラベルを印字発行する場合についても上記ＰＯＰシートを発行する場合と同様である。
【００４９】
尚、売価の変更について説明したが売価に限らず、産地や内容量など該ＰＬＵデータに関連するデータがＰＯＳレジスタ１の登録画面を操作して変更される場合についても同様である。
【００５０】
本発明によれば、ストアコントローラ等を必要とせずに、ＰＯＳレジスタにおいての売価変更や新たな商品設定等の操作と合わせてＰＯＰシート印刷や棚ラベル印字の指示を行うことができるので、装置の構成が簡単、且つ、安価になり、ＰＯＰシート印刷や棚ラベル印字のときに、従来のように事務所まで移動する必要がなく操作が簡素化される。
加えてＰＯＰシートに印刷された情報および棚ラベルに印字された情報並びに商品データの整合性を保つことができる。
【００５１】
また、商品登録画面に印刷するデータを送信させる操作キーが設けられて、該画面で特定された商品データに基づいて印刷するデータが送信されるので、急な売価変更であっても即時に該当する商品を呼び出して印刷の指示を行える。また、商品登録画面において特定された商品データに基づいて印刷指示を行うので、商品データと印刷ないし印字内容とをとり違えることがない。また、予め商品登録画面にプリセットされた商品データに基づいて商品データが特定されて、それらを選択して印刷指示を行うことができるので操作が簡単になる。
【００５２】
また、印刷するデータを送信する操作キーが商品設定面面に設けられているので、新たに商品データを設定したとき等は、そのまま該商品データに基づいて印刷の指示を行うことができるので操作が簡単になり、別途商品データ特定を行う等の操作を必要としないため商品データと印刷ないし印字内容とをとり違えることがない。
また、ＰＯＳレジスタで売価等の商品データが変更、あるいは設定された場合に、ＰＯＰシートの印刷や棚ラベルの印字を促す指示が表示部になされるのでＰＯＰシートの印刷および棚ラベルの印字を忘れることを防止することができる。
【００５３】
また、ＰＯＳレジスタによって売価等の商品データが変更、あるいは設定された場合に、ＰＯＰシートや棚ラベルを発行する為の操作キーがＰＯＳレジスタの表示部に表示されるので、データが変更された場合にも、ＰＯＰシートや棚ラベルの発行を忘れることを防止することができ、必要なときにだけ操作キーが表示されるので表示画面を効率的に使用することができる。
また、ＰＯＰフォーマット情報、ラベルフォーマット情報を選択操作できるので、商品に応じてフォーマットを変えてＰＯＰシート、棚ラベルを発行することができる。
【００５４】
尚、本実施形態の印刷および印字システムの構成においては、ＬＡＮケーブル５によって、各装置が通信可能に接続される構成としたが、通信手段は問わず、光通信手段や無線通信手段によって接続される構成としてもよい。
また、ＰＯＳレジスタ１が複数設置され、ある一台が親機、その他が子機となるいわゆるマスターサテライトシステムを構成してもよい。
【００５５】
また、本実施形態における棚ラベルは、商品陳列棚のレール等に、商品名、値段等が印字されたラベルを貼付することにより各商品を識別する棚ラベルに限られるものではなく、商品の値段がディジタル表示される、いわゆる電子棚札に貼付され、商品名やバーコード等が印字されたラベルにも使用可能である。
また、ＲＡＭ１２内に一時記憶される商品データ、送信データが、送信キーが押されることでクリアされるとしたが、送信キーが押され、データが送信された後に、図６の終了キーが押されることでクリアするようにしてもよい。
【００５６】
また、本実施形態におけるＰＯＰシートの印刷および棚ラベルの印字の指示においては、ＰＯＰフォーマット（番号）およびラベルフォーマット（番号）を選択するようにしているが、該フォーマット（番号）を選択せずに予め決められたフォーマットで印刷するようにしてもよい。これにより、店員は印刷したいＰＯＰシートの枚数および印字したい棚ラベルの枚数のみを入力すればよくなり、操作が簡素化される。
【００５７】
また、図４の画面によって新しい商品を設定する場合や、図７の画面によって売価変更を行う場合のみならず、例えば、ある商品のバーコードをスキャナ部１８によって読み取り、該商品のＰＬＵデータを呼び出し、該ＰＬＵデータを確認する場合にも、ＰＯＰシート印刷および棚ラベル印字が可能になるようにしてもよい。
【００５８】
また、複数の商品に対して一度に売価変更に行う売価変更ファイルを設け、該ファイルを用いて売価変更を実行する場合、あるいはそれらの売価を元に戻すときにも、ＰＯＰシート印刷および棚ラベル印字が可能になるようにしてもよい。この場合、売価変更された複数の商品データを区別するようにＲＡＭ１２に一時記憶させ、変更された商品データに共通するＰＯＰカード番号と発行枚数とを選択させ、１回の送信操作にて、ＰＯＰシート印刷、棚ラベル印字の指示操作を完了させるようにしてもよい。
【００５９】
また、特売品のリストとして特売ファイルを設け、該ファイルにて特売の商品を設定して、特売のスケジュールを決定したり、確認したりする際にＰＯＰシート印刷、棚ラベル印字が可能になるようにしてもよい。
【００６０】
また、例えば、図７に示す、ＰＯＰ出力キー、棚札出力キーが表示されていない、商品登録画面において、売価の変更をした場合に、売価が従来のものから新しいものに変更されとき、つまり、ＨＤＤ１１内の商品ファイルが書き換えられたとき、ＰＯＰシートの印刷および棚ラベルの印字をするか否かの表示を表示部に出力し（例えばYes, Noで選択する。）、Yesを選択したときのみ、図７に示す画面にＰＯＰ出力キーや、棚札出力キーが表示されるようにしてもよい。これにより、売価が変更された際にＰＯＰシートの印刷および棚ラベルの印字を忘れるのを防止することができる。また、対話形式で操作ができるので操作ミス等を防ぐことが可能になる。
【００６１】
また、新たな商品設定（ＰＬＵ設定）をした場合も同様に、例えばＰＬＵデータを設定し、終了キー等を押し、設定画面を抜けるときにＰＯＰ出力キーや、棚札出力キーが表示されるようにしてもよい。
【００６２】
以上、本発明の実施形態について図面を参照して詳述したが、具体的な構成はこの実施形態に限られるものではなく、本発明の要旨を逸脱しない範囲での設計変更も含まれる。
【図面の簡単な説明】
【００６３】
【図１】本発明の一実施形態による印刷および印字システムの構成を示すブロック図である。
【図２】同実施形態におけるＰＯＳレジスタ１の構成を示すブロック図である。
【図３】同実施形態におけるラベルプリンタ４の構成を示すブロック図である。
【図４】同実施形態のＰＯＳレジスタ１の店員用表示器１５ａにおける、商品設定画面を示す図である。
【図５】同実施形態のＰＯＳレジスタ１の店員用表示器１５ａにおける、ＰＯＰファイルを一覧から選択する画面を示す図である。
【図６】同実施形態のＰＯＳレジスタ１の店員用表示器１５ａにおける、ＰＯＰシートの発行指示の画面を示す図である。
【図７】同実施形態のＰＯＳレジスタ１の店員用表示器１５ａにおける、商品登録画面を示す図である。
【図８】同実施形態にＰＯＳレジスタ１の店員用表示器１５ａにおける、ＰＯＰシート印刷および棚ラベル発行確認メッセージを表示する画面を示す図である。
【図９】同実施形態における送信されるＰＯＰ送信データの形式を示す表である。
【図１０】同実施形態におけるＰＯＰシートの印刷内容を示す図である。
【図１１】同実施形態におけるＰＯＰシートの印刷例を示す図である。
【図１２】同実施形態のＰＯＳレジスタ１内のＣＰＵ１１の動作を示すフローチャートである。
【図１３】同実施形態のＰＯＰ  ＰＣ２内のＣＰＵの動作を示すフローチャートである。
【図１４】同実施形態のＰＯＳレジスタ１内のＲＡＭ１２のメモリマップを示す図である。
【図１５】同実施形態のラベルプリンタ４から印字される棚ラベルを示す図である。
【符号の説明】
【００６４】
１・・・ＰＯＳレジスタ、２・・・ＰＯＰ  ＰＣ、３・・・プリンタ、４・・・ラベルプリンタ、５・・・ＬＡＮケーブル、１０・・・ＣＰＵ、１１・・・ＨＤＤ、１２・・・ＲＡＭ、１３・・・キー操作部、１４・・・画像表示制御部、１５ａ・・・店員用表示器、１５ｂ・・・客用表示器、１６・・・レシート印刷部、１７・・・送受信部、１８・・・スキャナ部、１９・・・バスライン、４０・・・ＣＰＵ、４１・・・ＲＯＭ、４２・・・ＲＡＭ、４３・・・表示部、４６・・・ラベル発行部、４７・・・通信部、４９・・・バスライン、５０・・・特別売価表示、５１・・・商品名称、５２・・・産地・メーカ名称、５３・・・標準価格表示、５４・・・サイズ・容量表示、５５・・・広告メッセージ、５６・・・表示用領域テキストＡ、５７・・・表示用領域テキストＢ、５８・・・表示用領域テキストＣ、６１・・・商品名、６２・・・賞味期限表示、６３・・・バーコード、６４・・・税込額表示、６５・・・税抜額表示、６６・・・税額表示
【図１】
2005135180.tif 000003
【図２】
2005135180.tif 000004
【図３】
2005135180.tif 000005
【図４】
2005135180.tif 000006
【図５】
2005135180.tif 000007
【図６】
2005135180.tif 000008
【図７】
2005135180.tif 000009
【図８】
2005135180.tif 000010
【図９】
2005135180.tif 000011
【図１０】
2005135180.tif 000012
【図１１】
2005135180.tif 000013
【図１２】
2005135180.tif 000014
【図１３】
2005135180.tif 000015
【図１４】
2005135180.tif 000016
【図１５】
2005135180.tif 000017